(57)【要約】      （修正有）【課題】開栓後にタンパーエビデントバンドがボトル口から容易に離脱できるようにするとともに、初期螺合時にタンパーエビデントバンドの変形が防止できるペットボトルのキャップ取付け方法を得る。【解決手段】内周に雌ねじ７ａを有するキャップ本体部７と、円周の一部に縦方向のスリット８ｂ又は切れ目が形成され、かつ内周に軸心方向に突出する多数の係止片８ｃが形成されたリング状のタンパーエビデントバンド８と、タンパーエビデントバンドをキャップ本体部の下部に連結する多数のブリッジ部９とを有してなるプラスチック製のキャップ６を設け、キャップ本体部の外周及びタンパーエビデントバンドの外周に取付け治具１０を密接に嵌合させ、取り付け治具を介してキャップを回転させることにより、キャップ本体部をペットボトル１の口部３に螺合させるとともに、タンパーエビデントバンドをペットボトルの口部の鍔部５に嵌合係止させる。【選択図】図３
2009179355.tif 000002
【特許請求の範囲】
【請求項１】
内周に雌ねじ（７ａ）を有するキャップ本体部（７）と、円周の一部に縦方向のスリット（８ｂ）又は切れ目が形成され、かつ内周に軸心方向に突出する多数の係止片（８ｃ）が形成されたリング状のタンパーエビデントバンド（８）と、該タンパーエビデントバンド（８）を前記キャップ本体部（７）の下部に連結する多数のブリッジ部（９）とを有してなるプラスチック製のキャップ（６）を設け、前記キャップ本体部（７）の外周及び前記タンパーエビデントバンド（８）の外周に取付け治具（１０）を密接に嵌合させ、該取り付け治具（１０）を介して前記キャップ（６）を回転させることにより、前記キャップ本体部（７）をペットボトル（１）の口部（３）外周に形成した雄ねじ（４）に螺合させるとともに、前記タンパーエビデントバンド（８）をペットボトル（１）の口部（３）の下部に形成された鍔部（５）に嵌合係止させたことを特徴とするペットボトルのキャップ取付け方法。
【発明の詳細な説明】
【技術分野】
【０００１】
本発明は、ペットボトルにプラスチック製のキャップを取り付ける取付け方法に関するするものである。
【背景技術】
【０００２】
従来の技術として、ボトル口に螺合状態で被冠する被冠部の下部に、ボトル口の鍔部に係止するタンパーエビデントバンドを複数のブリッジ部で連係し、前記タンパーエビデントバンドに、開栓時に破断する縦スコアを設け、開栓後にタンパーエビデントバンドがボトル口に残留しないようにしたプラスチック製のキャップがあった。
【０００３】
前記従来のものは、初期時にキャップをボトル口に螺合させる際に、タンパーエビデントバンドがボトル口の鍔部によって拡開され、一部のブリッジ部が破断されたり、タンパーエビデントバンドが開いた状態でボトル口の鍔部に係止したりする恐れがある。このため、キャップをボトル口に螺合させる際にタンパーエビデントバンドの内周に形成する係止片がボトルの鍔部を通過し易くなるよう、該係止片を特殊な形状にする必要がある。
【特許文献１】特開平８−４０４４７号公報
【発明の開示】
【発明が解決しようとする課題】
【０００４】
本発明は、開栓後にタンパーエビデントバンドがボトル口から容易に離脱できるようにするとともに、初期螺合時におけるタンパーエビデントバンドの変形が防止できるペットボトルのキャップ取付け方法を得ることを目的とする。
【課題を解決するための手段】
【０００５】
請求項１に係る発明は、内周に雌ねじを有するキャップ本体部と、円周の一部に縦方向のスリット又は切れ目が形成され、かつ内周に軸心方向に突出する多数の係止片が形成されたリング状のタンパーエビデントバンドと、該タンパーエビデントバンドを前記キャップ本体部の下部に連結する多数のブリッジ部とを有してなるプラスチック製のキャップを設け、前記キャップ本体部の外周及び前記タンパーエビデントバンドの外周に取付け治具を密接に嵌合させ、該取り付け治具を介して前記キャップを回転させることにより、前記キャップ本体部をペットボトルの口部外周に形成した雄ねじに螺合させるとともに、前記タンパーエビデントバンドをペットボトルの口部の下部に形成された鍔部に嵌合係止させる構成にしたものである。
【発明の効果】
【０００６】
請求項１に係る発明は、取付け治具にキャップを嵌合させ、該キャップをペットボトルの口部に当てて前記取付け治具により螺合方向に回転させると、キャップ本体部の外周及びタンパーエビデントバンドの外周が取付け治具に包囲された状態で回転され、キャップ本体部の雌ねじがペットボトルの口部の雄ねじに螺合し、タンパーエビデントバンドの係止片が弾性変形してペットボトルの口部の鍔部を通過することになる。これにより、前記タンパーエビデントバンドは拡開することなくペットボトルの口部の鍔部に円滑に嵌合係止することになる。
【０００７】
そして、消費者がペットボトルからキャップを取り外す際に、キャップ本体部を握って反螺合方向に回転させると、タンパーエビデントバンドの係止片がペットボトルの鍔部に係合してキャップ本体部との共周りが規制され、ブリッジ部の一部又は全部が破断するとともに、タンパーエビデントバンドはスリット部から拡開、又は切れ目が分離してこの部から拡開することになる。これにより、ブリッジ部の一部が破断した際には、タンパーエビデントバンドは前記鍔部を通過し、キャップ本体部と共にペットボトルの口部から離脱することになる。
【０００８】
また、前記ブリッジ部の全部が破断した際には、タンパーエビデントバンドは拡開した状態でペットボトルの口部に残留することになる。この場合には、タンパーエビデントバンドを大径方向に引っ張ると、該タンパーエビデントバンドがスリット又は切れ目から拡開し、これをペットボトルの口部から容易に離脱させることができ、材質の異なるペットボトルとタンパーエビデントバンドとを分別して回収することができる。
【発明を実施するための最良の形態】
【０００９】
以下本発明の実施の形態を図面に基いて説明する。図面において、図１は本発明によるキャップの一部断面側面図、図２は図１のII-II線による部分断面図、図３は本発明による取付け治具の使用状態を示す一部断面側面図、図４は図３のIV-IV線による拡大断面図である。
【００１０】
図１〜図４において、１はペットボトル、6 は該ペットボトル１の口部３を閉塞するプラスチック製のキャップである。前記ペットボトル１はポリエチレンにより胴部２及び口部３が一体に形成され、口部３の外周には、雄ねじ４が形成されるとともに、該雄ねじ４の直下方に環状の鍔部５が形成されている。
【００１１】
６は前記ペットボトル１の口部３に取付けられるキャップであり、本例ではポリプロピレンにより形成されている。該キャップ６は、キャップ本体部７、タンパーエビデントバンド８、及び前記キャップ本体部７とタンパーエビデントバンド８とを連結するブリッジ部９を一体に有する。
【００１２】
前記キャップ本体部７は、内周に前記ペットボトル１の雄ねじ４とねじ嵌合（螺合）する雌ねじ７ａが形成され、外周部に摩擦係合用のセレーション７ｂが形成されている。前記タンパーエビデントバンド８は主体部８ａを前記ペットボトル１の鍔部５に嵌合するリング状の径に形成するとともに、円周の一部を縦方向のスリット８ｂにより分断し、下部に軸心方向に突出する薄肉の係止片８ｃが円周方向に所定ピッチで形成されている。なお、前記スリット８ｂは縦方向の切込みとしてもよい。
【００１３】
前記ブリッジ部９は、図２に示すように、小断面積で円周方向に所定ピッチで形成され、その上下端で前記キャップ本体部７とタンパーエビデントバンド８とを連結するようにしている。
【００１４】
１０は前記キャップ６をペットボトル１の口部３に取り付ける取付け治具であり、図３、図４に示すように、筒状に形成され、下部に前記キャップ本体部７の外周及び前記タンパーエビデントバンド８の外周に密接に嵌合する嵌合部１０ａを有する。該嵌合部１０ａは、キャップ本体部７の外周に形成したセレーション７ｂと係合する凹凸条１０ｂを有し、取付け治具１０を回転させた際に、前記凹凸条１０ｂがキャップ本体部７のセレーション７ｂと摩擦係合してキャップ６を回転させるようになっている。
【００１５】
前記実施例によれば、取付け治具１０にキャップ６を嵌合させると、取付け治具１０の嵌合部１０ａがキャップ本体部７の外周及びタンパーエビデントバンド８の外周を包囲するとともに、前記嵌合部１０ａの凹凸条１０ｂがキャップ本体部７のセレーション７ｂと摩擦係合することになる。
【００１６】
この状態でキャップ６をペットボトル１の口部３に当て、前記取付け治具１０を螺合方向に回転させると、キャップ本体部７の雌ねじ７ａがペットボトル１の口部３の雄ねじ４に螺合し、タンパーエビデントバンド８の係止片８ｃが弾性変形してペットボトル１の口部３の鍔部５を通過し、キャップ６がペットボトル１の口部３取り付けられることになる。
【００１７】
この場合、前記タンパーエビデントバンド８の外周は取付け治具１０の嵌合部１０ａに包囲されているので、係止片８ｃがペットボトル１の鍔部５を通過する際に、係止片８ｃの形状に左右されることなく、前記タンパーエビデントバンド８は拡開しなくなる。
【００１８】
また、消費者がキャップ６をペットボトル１からキャップ６を取り外す際に、キャップ本体部７を握って反螺合方向に回転させると、タンパーエビデントバンド８の係止片８ｃがペットボトル１の鍔部５に係合してキャップ本体部７との共周りが規制され、ブリッジ部９が破断するとともに、タンパーエビデントバンド８がスリット８ｂ部から拡開することになる。
【００１９】
この場合、タンパーエビデントバンド８がブリッジ部９の一部によってキャップ本体部７に連結されていると、該タンパーエビデントバンド８はキャップ本体部７とともに、ペットボトル１の口部３から離脱することになる。また、前記ブリッジ部９の全部が破断した際には、前記タンパーエビデントバンド８を大径方向に引っ張ると、該タンパーエビデントバンド８がスリットから拡開し、これをペットボトル１の口部３から容易に離脱させることができる。この結果、材質の異なるペットボトル１とタンパーエビデントバンド８とを分別して回収することができる。
【図面の簡単な説明】
【００２０】
【図１】本発明によるキャップの一部断面側面図である。
【図２】図１のII-II線による部分断面図である。
【図３】本発明による取付け治具の使用状態を示す一部断面側面図である。
【図４】図３のIV-IV線による拡大断面図である。
【符号の説明】
【００２１】
１    ペットボトル
２    胴部
３    口部
４    雄ねじ
５    鍔部
６    キャップ
７    キャップ本体部
７ａ  雌ねじ
７ｂ  セレーション
８    タンパーエビデントバンド
８ａ  主体部
８ｂ  スリット（切れ目）
８ｃ  係止片
９    ブリッジ部
１０    取付け治具
１０ａ  嵌合部
１０ｂ  凹凸条
【図１】
2009179355.tif 000003
【図２】
2009179355.tif 000004
【図３】
2009179355.tif 000005
【図４】
2009179355.tif 000006